(57)【要約】【課題】  ある燃料ノズルからの燃料供給が停止した場合に、流動層ボイラ内の温度分布を迅速に均一化することが可能な流動層ボイラの燃料供給装置を提供する。【解決手段】  複数の燃料ノズル１１１〜１１ａからの燃料供給量を制御する制御装置１５を備え、この制御装置１５は、ある燃料ノズル１１１〜１１ａからの燃料供給が停止した場合に、加圧流動層ボイラ２内の温度分布が均一になるように他の燃料ノズル１１１〜１１ａからの燃料供給量を制御すべき制御量を記憶した制御表１５３を有し、ある燃料ノズル１１１〜１１ａからの燃料供給が停止した場合に、制御表１５３に基づいて他の燃料ノズル１１１〜１１ａからの燃料供給量を制御する。【選択図】  図２
2008261524.tif 000002
【特許請求の範囲】
【請求項１】
複数の燃料ノズルから流動層ボイラに燃料を供給する流動層ボイラの燃料供給装置であって、
前記燃料ノズルからの燃料供給量を制御する制御手段を備え、
前記制御手段は、
ある燃料ノズルからの燃料供給が停止した場合に、前記流動層ボイラ内の温度分布が均一になるように他の燃料ノズルからの燃料供給量を制御すべき制御量を記憶した制御表を有し、
ある燃料ノズルからの燃料供給が停止した場合に、前記制御表に基づいて他の燃料ノズルからの燃料供給量を制御することを特徴とする流動層ボイラの燃料供給装置。
【請求項２】
前記制御表には、過去にある燃料ノズルからの燃料供給が停止した際に、前記流動層ボイラ内の温度分布が均一になるように他の燃料ノズルからの燃料供給量を制御した制御量が記憶されていることを特徴とする請求項１に記載の流動層ボイラの燃料供給装置。
【請求項３】
前記制御手段による制御量を前記制御表にフィードバックすることを特徴とする請求項１または２のいずれか１項に記載の流動層ボイラの燃料供給装置。
【請求項４】
前記制御手段は、前記供給停止した燃料ノズルからの燃料供給量を補うように前記他の燃料ノズルからの燃料供給量を制御することを特徴とする請求項１〜３のいずれか１項に記載の流動層ボイラの燃料供給装置。
【請求項５】
複数の燃料ノズルから流動層ボイラに燃料を供給する流動層ボイラの燃料供給方法であって、
ある燃料ノズルからの燃料供給が停止した場合に、前記流動層ボイラ内の温度分布が均一になるように他の燃料ノズルからの燃料供給量を制御すべき制御量を予め制御表として記憶し、
ある燃料ノズルからの燃料供給が停止した場合に、前記制御表に基づいて他の燃料ノズルからの燃料供給量を制御することを特徴とする流動層ボイラの燃料供給方法。
【請求項６】
前記制御表に、過去にある燃料ノズルからの燃料供給が停止した際に、前記流動層ボイラ内の温度分布が均一になるように他の燃料ノズルからの燃料供給量を制御した制御量を記憶することを特徴とする請求項５に記載の流動層ボイラの燃料供給方法。
【請求項７】
前記制御表に基づいて行った制御量を前記制御表にフィードバックすることを特徴とする請求項５または６のいずれか１項に記載の流動層ボイラの燃料供給方法。
【発明の詳細な説明】
【技術分野】
【０００１】
この発明は、複数の燃料ノズルから流動層ボイラに燃料を供給する流動層ボイラの燃料供給装置および燃料供給方法に関する。
【背景技術】
【０００２】
流動層（流動床）ボイラは、下側から空気を吹き付けて燃料と流動媒体（ベッドマテリアル）とを浮遊（流動）させ、浮遊状態の燃料を燃やすボイラである。このような流動層ボイラを用いた加圧流動層複合発電（ＰＦＢＣ：Ｐｒｅｓｓｕｒｉｚｅｄ  Ｆｌｕｉｄｉｚｅｄ  Ｂｅｄ  Ｃｏｍｂｕｓｔｉｏｎ）などでは、石炭と石灰石と水の混合体（ＣＷＰ：Ｃｏａｌ  Ｗａｔｅｒ  Ｐａｓｔｅ）などが燃料として使用される。この燃料は、燃料ポンプによって、流動層ボイラ内に配設された複数の燃料ノズルに送られ、燃料ノズルから噴射されて流動層ボイラ内で燃焼される（例えば、特許文献１参照。）。また、複数の燃料ノズルは、流動層ボイラ内の燃焼温度が均一になるように配設されている。
【特許文献１】特開平０５−２８８３３４号公報
【発明の開示】
【発明が解決しようとする課題】
【０００３】
ところで、ある燃料ポンプがトリップ（緊急停止）などした場合、その燃料ポンプの燃料ノズルからの燃料供給（燃料噴射）が停止し、流動阻害などが生じる。つまり、供給停止した燃料ノズルの周辺の温度が下がり、流動層ボイラ内に温度偏差が生じる。さらに、当該燃料ノズルからの燃料供給が停止するため、流動層ボイラ内に供給される燃料の量が下がってしまう。このため、流動層ボイラ内の温度分布を監視するモニタ上で温度分布を確認しながら、流動層ボイラ内の温度分布が均一となり、かつ、供給停止した燃料ノズルからの供給量を補うように、供給停止した燃料ノズル以外の燃料ノズルからの燃料供給量（バイアス補正量）を調整する必要がある。しかしながら、供給停止した燃料ノズルの配設位置によって流動層ボイラ内の温度偏差が異なる。このため、供給停止した燃料ノズルの配設位置や温度偏差などに応じてその都度複数の燃料ノズルの燃料供給量を調整しなければならない。この結果、温度分布を均一にするのに、多くの時間と労力とを要していた。
【０００４】
そこでこの発明は、ある燃料ノズルからの燃料供給が停止した場合に、流動層ボイラ内の温度分布を迅速に均一化することが可能な流動層ボイラの燃料供給装置および燃料供給方法を提供することを目的とする。
【課題を解決するための手段】
【０００５】
上記目的を達成するために請求項１に記載の発明は、複数の燃料ノズルから流動層ボイラに燃料を供給する流動層ボイラの燃料供給装置であって、前記燃料ノズルからの燃料供給量を制御する制御手段を備え、前記制御手段は、ある燃料ノズルからの燃料供給が停止した場合に、前記流動層ボイラ内の温度分布が均一になるように他の燃料ノズルからの燃料供給量を制御すべき制御量を記憶した制御表を有し、ある燃料ノズルからの燃料供給が停止した場合に、前記制御表に基づいて他の燃料ノズルからの燃料供給量を制御することを特徴とする。
（作用）
ある燃料ノズルからの燃料供給が停止すると、制御手段によって、制御表に基づいて他の燃料ノズルからの燃料供給量が制御され、流動層ボイラ内の温度分布が均一化されるようになる（温度偏差が小さくなる）。
【０００６】
請求項２に記載の発明は、請求項１に記載の燃料供給装置において、前記制御表には、過去にある燃料ノズルからの燃料供給が停止した際に、前記流動層ボイラ内の温度分布が均一になるように他の燃料ノズルからの燃料供給量を制御した制御量が記憶されていることを特徴とする。
（作用）
ある燃料ノズルからの燃料供給が停止すると、制御手段によって、過去の制御量が記憶された制御表に基づいて他の燃料ノズルからの燃料供給量が制御され、流動層ボイラ内の温度分布が均一化されるようになる。
【０００７】
請求項３に記載の発明は、請求項１または２のいずれか１項に記載の燃料供給装置において、前記制御手段による制御量を前記制御表にフィードバックすることを特徴とする。
（作用）
ある燃料ノズルからの燃料供給が停止して、制御手段による制御が行われると、その制御量が制御表にフィードバックされる。そして、次回の制御時（燃料供給停止時）においては、フィードバックされた制御表に基づいて、他の燃料ノズルからの燃料供給量が制御される。
【０００８】
請求項４に記載の発明は、請求項１〜３のいずれか１項に記載の燃料供給装置において、前記制御手段は、前記供給停止した燃料ノズルからの燃料供給量を補うように前記他の燃料ノズルからの燃料供給量を制御することを特徴とする。
（作用）
ある燃料ノズルからの燃料供給が停止すると、制御手段によって、制御表に基づいて他の燃料ノズルからの燃料供給量が制御され、流動層ボイラ内の温度分布が均一化されるようになるとともに、供給停止した燃料ノズルからの燃料供給量が補われ、全体の燃料供給量が維持される。
【０００９】
請求項５に記載の発明は、複数の燃料ノズルから流動層ボイラに燃料を供給する流動層ボイラの燃料供給方法であって、ある燃料ノズルからの燃料供給が停止した場合に、前記流動層ボイラ内の温度分布が均一になるように他の燃料ノズルからの燃料供給量を制御すべき制御量を予め制御表として記憶し、ある燃料ノズルからの燃料供給が停止した場合に、前記制御表に基づいて他の燃料ノズルからの燃料供給量を制御することを特徴とする。
【００１０】
請求項６に記載の発明は、請求項５に記載の燃料供給方法において、前記制御表に、過去にある燃料ノズルからの燃料供給が停止した際に、前記流動層ボイラ内の温度分布が均一になるように他の燃料ノズルからの燃料供給量を制御した制御量を記憶することを特徴とする。
【００１１】
請求項７に記載の発明は、請求項５または６のいずれか１項に記載の燃料供給方法において、前記制御表に基づいて行った制御量を前記制御表にフィードバックすることを特徴とする。
【発明の効果】
【００１２】
請求項１および５に記載の発明によれば、流動層ボイラ内の温度分布が均一になるように制御すべき制御量が記憶された制御表に基づいて、他の燃料ノズルからの燃料供給量が制御される。このため、供給停止した燃料ノズルの配設位置に応じてその都度複数の他の燃料ノズルの燃料供給量を制御（調整）する場合に比べて、流動層ボイラ内の温度分布を迅速、容易かつ適正に均一化することが可能となる。
【００１３】
請求項２および６に記載の発明によれば、過去に制御した制御量が記憶された制御表に基づいて他の燃料ノズルからの燃料供給量が制御される。つまり、流動層ボイラ内の温度分布が均一になるように実際に制御した制御量に基づいて制御されるため、流動層ボイラ内の温度分布をより迅速、容易かつ適正に均一化することが可能となる。
【００１４】
請求項３および７に記載の発明によれば、実際の制御量がフィードバックされた制御表に基づいて、他の燃料ノズルからの燃料供給量が制御されるため、より適正な制御表に基づいて、流動層ボイラ内の温度分布をより迅速、容易かつ適正に均一化することが可能となる。
【００１５】
請求項４に記載の発明によれば、供給停止した燃料ノズルからの燃料供給量が補われ、全体の燃料供給量が維持されるため、ある燃料ノズルからの燃料供給が停止しても、流動層ボイラ内の燃焼量を維持することができる。
【発明を実施するための最良の形態】
【００１６】
以下、この発明を図示の実施の形態に基づいて説明する。
【００１７】
図１は、この実施の形態に係る流動層ボイラの燃料供給装置（以下、適宜単に「燃料供給装置」という）１を備えた加圧流動層複合発電設備を示す模式図である。図中符号２は、加圧流動層ボイラ（流動層ボイラ）であり、下側から燃焼空気を供給して燃料と流動媒体とを浮遊させ、浮遊状態の燃料を加圧下で燃やすボイラであり、この実施の形態では、後述するように、石炭Ｍ１と石灰石Ｍ２と水Ｍ３の混合体が燃料Ｍとして供給される。この加圧流動層ボイラ２内には伝熱管２１が配設され、この伝熱管２１に水が供給されて蒸気が発生し、この蒸気が蒸気タービン３に送られて蒸気タービン３が駆動する。一方、加圧流動層ボイラ２から排出された燃焼ガスは、集塵機（サイクロン）４によって灰が集塵され、脱灰（脱塵）された燃焼ガスがガスタービン５に送られてガスタービン５が駆動する。そして、蒸気タービン３とガスタービン５の回転駆動によって、それぞれの発電機６が発電するものである。
【００１８】
燃料供給装置１は、上記のような加圧流動層ボイラ２に燃料Ｍを供給する装置であり、図２に示すように、燃料ノズル群１１と、燃料ポンプ群１２と、温度計群１３と、モニタ１４と、制御装置（制御手段）１５とを備えている。
【００１９】
燃料ノズル群１１は、この実施の形態では１０本の燃料ノズル１１１〜１１ａから構成され、図３に示すように、先端部（噴射側）が加圧流動層ボイラ２内の下側に位置し、基端部（燃料ポンプ群１２側）が加圧流動層ボイラ２外に位置するように配設されている。さらに、加圧流動層ボイラ２の軸線面（中心軸と平行でかつ中心軸上の面）を対照に、左右各５本の燃料ノズル１１１〜１１ａが同一水平面上に配設されている。
【００２０】
燃料ポンプ群１２は、燃料ノズル群１１に燃料Ｍを供給するためのポンプ群であり、各燃料ノズル１１１〜１１ａに対応した１０機の燃料ポンプ１２１〜１２ａで構成されている。また、燃料ポンプ１２１〜１２ａの吸い込み口側は、燃料タンク７に接続され、燃料タンク７には、混練機８から燃料Ｍが投入されるようになっている。そして、混練機８に石炭Ｍ１と石灰石Ｍ２と水Ｍ３とが投入されると、混練機８によってＣＷＰである燃料Ｍが生成される。続いて、生成された燃料Ｍが燃料タンク７に投入され、各燃料ポンプ１２１〜１２ａで吸い込まれた燃料Ｍが、各燃料ノズル１１１〜１１ａから加圧流動層ボイラ２内に噴射されるものである。
【００２１】
温度計群１３は、加圧流動層ボイラ２内の温度とその分布（偏差）を測定するものであり、この実施の形態では、１１体の熱電対１３１〜１３ｂで構成されている。これらの熱電対１３１〜１３ｂは、加圧流動層ボイラ２内の温度分布が適正に測定できるように、図４に示すように配設されている。すなわち、燃料ノズル１１１〜１１ａ側で隣接する燃料ノズル１１１〜１１ａ間に８体の熱電対１３１〜１３８が配設され、さらに、加圧流動層ボイラ２内の中央部に、燃料ノズル１１１〜１１５と平行して３体の熱電対１３９〜１３ｂが等間隔に配設されている。また、これらの熱電対１３１〜１３ｂによる測定結果（熱起電力）は制御装置１５に送られ、後述するようにして、加圧流動層ボイラ２内の温度分布がモニタ１４に表示されるようになっている。このようにこの実施の形態では、制御装置１５を介して温度分布がモニタ１４に表示されるようになっているが、制御装置１５を介さずに、温度計群１３による測定結果を直接モニタ１４に表示するようにしてもよい。
【００２２】
モニタ１４は、温度計群１３による測定結果を表示する表示装置である。すなわち、各熱電対１３１〜１３ｂによる測定結果が制御装置１５に送られると、制御装置１５において温度に変換され、変換された各温度がモニタ１４に送られる。そして、モニタ１４において、図５に示すように、各熱電対１３１〜１３ｂの測定エリアの温度をディスプレイに表示することで、加圧流動層ボイラ２内の温度分布を表示するものである。
【００２３】
制御装置１５は、各燃料ノズル１１１〜１１ａからの燃料供給量（燃料噴射量）を制御する装置、つまり、各燃料ポンプ１２１〜１２ａからの吐き出し量を制御する装置である。この制御装置１５は、図６に示すように、手動制御部１５１と自動制御部１５２とを備えている。
【００２４】
手動制御部１５１は、作業者などが手動で燃料供給量を制御するものであり、各燃料ノズル１１１〜１１ａに対応して調整ハンドルを備えている。そして、この調整ハンドルの操作方向と操作量とに基づいて、各燃料ノズル１１１〜１１ａからの燃料供給量、つまり各燃料ポンプ１２１〜１２ａからの吐き出し量を調整するものである。また、後述するようにして自動制御部１５２が起動した後に、手動制御部１５１による調整、制御が行われると、その制御量（調整量）が後述する制御表１５３にフィードバックされるようになっている。つまり、手動制御部１５１による制御量に基づいて、制御表１５３中の各制御量が加減され、制御表１５３が更新されるようになっている。
【００２５】
自動制御部１５２は、ある燃料ノズル１１１〜１１ａからの燃料供給が停止し場合に、他の燃料ノズル１１１〜１１ａからの燃料供給量を自動的に制御するものである。すなわち、ある燃料ポンプ１２１〜１２ａがトリップした信号を、燃料ポンプ１２１〜１２ａから、または各燃料ポンプ１２１〜１２ａの停止を検知する検知器などから受信すると起動される。そして、制御表１５３に基づいて、トリップしていない他の燃料ポンプ１２１〜１２ａからの吐き出し量を制御する。
【００２６】
具体的には、まず、供給停止した燃料ノズル１１１〜１１ａからの燃料供給量を補うように、他の燃料ノズル１１１〜１１ａからの燃料供給量を制御する。例えば、１０本の燃料ノズル１１１〜１１ａからの全燃料供給量が４５トン／時とすると、ある燃料ノズル１１１〜１１ａからの燃料供給が停止した場合には、４．５トン／時の燃料供給量が失われることになる。このため、他の９本の燃料ノズル１１１〜１１ａからの燃料供給量を、０．５トン／時（＝４．５／９本）増加させる。これにより、燃料ノズル群１１からの全燃料供給量が変動しないものである。
【００２７】
また、制御表１５３に基づいて、加圧流動層ボイラ２内の温度分布が均一になるように制御する。すなわち、ある燃料ノズル１１１〜１１ａからの燃料供給が停止した場合に、加圧流動層ボイラ２内の温度分布が均一になるように他の燃料ノズル１１１〜１１ａからの燃料供給量を制御すべき制御量が制御表１５３に記憶されている。具体的には、過去にある燃料ノズル１１１〜１１ａからの燃料供給が停止した際に、加圧流動層ボイラ２内の温度分布が均一になるように他の燃料ノズル１１１〜１１ａからの燃料供給量を制御した制御量の平均値が記憶されている。つまり、過去の制御実績が制御表１５３に記憶されている。
【００２８】
ここで、上記のように燃料ノズル１１１〜１１ａからの全燃料供給量が４５トン／時の場合を例にして説明する。例えば、第１のノズル１１１からの燃料供給が停止した場合として、他の燃料ノズル１１２〜１１ａからの燃料供給量を制御すべき制御量（偏差量）が、図７（ａ）に示すように記憶されている。そして、この制御表１５３中の各制御量に上記の増加分０．５トン／時を加算した値が、他の燃料ノズル１１２〜１１ａからの燃料供給量の変動量となる。例えば、第２のノズル１１２の制御量が＋１．９トン／時であるため、第２のノズル１１２からの燃料供給量の変動量は、＋２．４トン／時となる。そして、第２のノズル１１２からの燃料供給量が２．４トン／時増加するように、第２の燃料ポンプ１２２からの吐き出し量を制御するものである。
【００２９】
同様に、第２〜５のノズル１１２〜１１５からの燃料供給が停止した場合には、図７（ｂ）〜（ｅ）に示すような制御表１５３に基づいて他の燃料ノズル１１１〜１１ａからの燃料供給量を制御する。また、第６のノズル１１６からの燃料供給が停止した場合には、第６のノズル１１６と対称関係にある第５のノズル１１５からの燃料供給が停止した場合の制御表１５３（図７（ｅ））を１８０°回転させた制御表１５３に基づいて制御する。同様に、第７〜１０のノズル１１７〜１１ａからの燃料供給が停止した場合には、次の制御表１５３に基づいて制御する。
【００３０】
第７のノズル１１７：図７（ｄ）の制御表１５３を１８０°回転させた制御表
第８のノズル１１８：図７（ｃ）の制御表１５３を１８０°回転させた制御表
第９のノズル１１９：図７（ｂ）の制御表１５３を１８０°回転させた制御表
第１０のノズル１１ａ：図７（ａ）の制御表１５３を１８０°回転させた制御表
ここで、制御表１５３中の各制御量は、次のような観点に基づいている。すなわち、停止した燃料ノズル１１１〜１１ａの周辺には燃料Ｍが供給されなくなるため、当該周辺の温度は下がる。このため、停止した燃料ノズル１１１〜１１ａの周辺の他の燃料ノズル１１１〜１１ａからの燃料供給量を多くし、停止した燃料ノズル１１１〜１１ａから遠い位置にある他の燃料ノズル１１１〜１１ａからの燃料供給量を少なくする。これにより、加圧流動層ボイラ２内の温度分布を均一にする（温度偏差を小さくする）、というものである。また、制御表１５３中の各制御量は、すべてを加算してゼロになるように設定されている。つまり、制御量である偏差量の合計がゼロになることで、全体の燃料供給量が維持されるようになっている。
【００３１】
さらに、上記のように、手動制御部１５１によって燃料供給量が制御されると、その制御量に基づいて、制御表１５３中の各制御量が増減される。つまり、自動制御部１５２による制御のみでは加圧流動層ボイラ２内の温度分布が均一にならない場合があり、このような場合に手動制御部１５１によって燃料供給量が制御（微調整）される。そして、手動制御部１５１による制御量を制御表１５３中の各制御量にフィードバックすることで、制御表１５３の精度が高められるものである。
【００３２】
次に、このような構成の燃料供給装置１の作動および、燃料供給装置１による燃料供給方法について説明する。
【００３３】
まず、ある燃料ポンプ１２１〜１２ａがトリップして、該当する燃料ノズル１１１〜１１ａからの燃料供給が停止すると、上記のようにして自動制御部１５２が起動される。そして、供給停止した燃料ノズル１１１〜１１ａからの燃料供給量を補うように、他の燃料ノズル１１１〜１１ａからの燃料供給量の増加分が算出される。次に、上記のように、該当する制御表１５３中の各制御量に上記増加分が加算され、他の燃料ノズル１１１〜１１ａからの燃料供給量の変動量が算出される。そして、この変動量だけ他の燃料ポンプ１２１〜１２ａからの吐き出し量が増減するように、他の燃料ポンプ１２１〜１２ａからの吐き出し量（作動量）が制御される。続いて、このような自動制御の後に、加圧流動層ボイラ２内の温度分布をより均一にするために手動制御部１５１による制御（微調整）が行われると、上記のようにしてその制御量が制御表１５３にフィードバックされ、制御表１５３が更新される。そして、再び同じ燃料ノズル１１１〜１１ａからの燃料供給が停止した場合には、更新された制御表１５３に基づいて自動制御が行われるものである。
【００３４】
以上のように、この燃料供給装置１および燃料供給方法によれば、加圧流動層ボイラ２内の温度分布が均一になるように制御すべき制御量が記憶された制御表１５３に基づいて、供給停止していない他の燃料ノズル１１１〜１１ａからの燃料供給量が自動制御される。このため、供給停止した燃料ノズル１１１〜１１ａの配設位置などに応じてその都度複数の他の燃料ノズル１１１〜１１ａの燃料供給量を手動調整する場合に比べて、加圧流動層ボイラ２内の温度分布を迅速、容易かつ適正に均一化することが可能となる。
【００３５】
しかも、過去に制御した制御量が記憶された制御表１５３に基づいて他の燃料ノズル１１１〜１１ａからの燃料供給量が制御される。つまり、加圧流動層ボイラ２内の温度分布が均一になるように実際に制御した制御量に基づいて制御される。さらには、手動で微調整した制御量がフィードバックされた制御表１５３に基づいて燃料供給量が制御される。このため、より適正な制御表１５３に基づいて、加圧流動層ボイラ２内の温度分布をより迅速、容易かつ精度高く均一化することが可能となる。また、上記のようにして全体の燃料供給量が維持されるため、ある燃料ノズル１１１〜１１ａからの燃料供給が停止しても、加圧流動層ボイラ２内の燃焼量を維持することができる。つまり、発電量を維持することができる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、燃料ノズル１１１〜１１ａからの燃料供給が停止する原因として、燃料ポンプ１２１〜１２ａがトリップした場合について説明しているが、その他の原因、例えば燃料ノズル１１１〜１１ａの目詰まりなどを検知して、自動制御するようにしてもよい。さらには、加圧流動層ボイラ２内の温度分布が大きく変動した場合に、ある燃料ノズル１１１〜１１ａからの燃料供給が停止したことを割り出し、割り出した燃料ノズル１１１〜１１ａに基づいて自動制御するようにしてもよい。
【００３７】
また、上記の実施の形態では、過去の実績に基づく制御量が制御表１５３に記憶さているが、実験結果やシミュレーション結果などに基づく制御量を制御表１５３に記憶して、制御するようにしてもよい。さらに、複数の燃料ノズル１１１〜１１ａからの燃料供給が停止した場合にも、当該場合に応じた制御表１５３を作成することで、加圧流動層ボイラ２内の温度分布を迅速かつ適正に均一化することが可能となる。また、加圧流動層複合発電における加圧流動層ボイラ２の燃料供給装置および燃料供給方法について説明したが、その他の流動層ボイラにも適用できることは勿論である。
【図面の簡単な説明】
【００３８】
【図１】この発明の実施の形態に係る流動層ボイラの燃料供給装置を備えた加圧流動層複合発電設備を示す模式図である。
【図２】図１の燃料供給装置の概略構成を示す図である。
【図３】図２の燃料供給装置の各燃料ノズルと加圧流動層ボイラとの位置関係を示す斜視図である。
【図４】図２の燃料供給装置の各燃料ノズルと各熱電対と加圧流動層ボイラとの位置関係を示す平面図である。
【図５】図２の燃料供給装置のモニタに表示される加圧流動層ボイラ内の温度分布の一例を示す図である。
【図６】図２の燃料供給装置の制御装置の概略構成ブロック図である。
【図７】図６の制御装置の制御表の一例を示す図であり、（ａ）は第１のノズルがトリップした場合の制御表、（ｂ）は第２のノズルがトリップした場合の制御表、（ｃ）は第３のノズルがトリップした場合の制御表、（ｄ）は第４のノズルがトリップした場合の制御表、（ｅ）は第５のノズルがトリップした場合の制御表である。
【符号の説明】
【００３９】
１        流動層ボイラの燃料供給装置
１１      燃料ノズル群
１１１〜１１ａ  燃料ノズル
１２      燃料ポンプ群
１２１〜１２ａ  燃料ポンプ
１３      温度計群
１３１〜１３ｂ  熱電対
１４      モニタ
１５      制御装置（制御手段）
１５１    手動制御部
１５２    自動制御部
１５３    制御表
２        加圧流動層ボイラ（流動層ボイラ）
３        蒸気タービン
４        集塵機
５        ガスタービン
６        発電機
７        燃料タンク
８        混練機
Ｍ        燃料
Ｍ１      石炭
Ｍ２      石灰石
Ｍ３      水
【図１】
2008261524.tif 000003
【図２】
2008261524.tif 000004
【図３】
2008261524.tif 000005
【図４】
2008261524.tif 000006
【図５】
2008261524.tif 000007
【図６】
2008261524.tif 000008
【図７】
2008261524.tif 000009